(57)【要約】【課題】            太陽光を有効に利用し、低コストで設置、維持することができる照明装置により、日没後に小屋の外側を自動的に照らし、小屋内部または小屋周辺の愛玩動物の動態を確認できるようにし、かつ防犯効果を得る。【解決手段】        小屋本体１の屋根６にソーラーパネル２１が設けられ、愛玩動物出入口１１の上部に、ソーラーパネル２１からの給電により発光する発光ランプ２５が設けられている。ソーラーパネル２１は、屋根６の棟部材１３に近接して立設されたソーラーパネル支持体２０に水平状態に装着されている。ソーラーパネル２１と発光ランプ２５の連結コードは、棟部材１３の内側に形成される空隙部１２に、連結コード保持部材を介して収納される。ソーラーパネル支持体２０は、屋根６に固定した取付板２４に装着されている。【選択図】          図４
2005198566.tif 000002
【特許請求の範囲】
【請求項１】
愛玩動物用の小屋本体の外側に、ソーラーパネルと、該ソーラーパネルからの給電により発光する発光ランプを設けたことを特徴とする愛玩動物用小屋。
【請求項２】
前記ソーラーパネルを小屋本体の屋根に設け、前記発光ランプを小屋本体における愛玩動物出入口の上部に設けたことを特徴とする請求項１に記載の愛玩動物用小屋。
【請求項３】
前記小屋本体の屋根にソーラーパネル支持体を立設し、該ソーラーパネル支持体の上面部に前記ソーラーパネルを水平状態に装着したことを特徴とする請求項１又は請求項２に記載の愛玩動物用小屋。
【請求項４】
前記ソーラーパネル支持体は煙突形状の中空体であり、該ソーラーパネル支持体の内部に中板を固定すると共に、該中板に前記ソーラーパネルを固定することを特徴とする請求項３に記載の愛玩動物用小屋。
【請求項５】
前記小屋本体の屋根の棟部近くに、前記ソーラーパネル支持体の取付板を固定し、該取付板に前記ソーラーパネル支持体の底部を装着することを特徴とする請求項４に記載の愛玩動物用小屋。
【請求項６】
前記ソーラーパネルと前記発光ランプの連結コードを、前記小屋本体の棟部内側に形成される空隙部に、連結コード保持部材を介して収納することを特徴とする請求項１から請求項５の何れか１項に記載の愛玩動物用小屋。
【請求項７】
前記発光ランプは、投光方向を変えられるように回転可能に設けられていることを特徴とする請求項１から請求項６の何れか１項に記載の愛玩動物用小屋。
【請求項８】
前記発光ランプは、黄色系の発光ダイオードであることを特徴とする請求項１から請求項７の何れか１項に記載の愛玩動物用小屋。
【請求項９】
前記発光ランプの下方に、通光性の破損防止部材を設けたことを特徴とする請求項１から請求項８の何れか１項に記載の愛玩動物用小屋。
【請求項１０】
前記小屋本体の発光ランプの下方と、対応する小屋本体の背面側に、該小屋本体を持ち上げるための把手部を設けたことを特徴とする請求項１から請求項９の何れか１項に記載の愛玩動物用小屋。
【請求項１１】
前記把手部は、前記小屋本体屋根の前後両端部に設けられるヒサシ枠の補強用連結アームであることを特徴とする請求項１０に記載の愛玩動物用小屋。
【発明の詳細な説明】
【技術分野】
【０００１】
本発明は、犬などの愛玩動物を主として屋外で飼う場合に使用される小屋に関するものである。
【背景技術】
【０００２】
犬などの愛玩動物を屋外で飼うための小屋は、一般に家屋に隣接した庭先等に設置されており、日没後に小屋周辺が暗くなると、犬が小屋に入っているかどうかの確認や、その他の犬の動態を観察することが難しくなる。また、犬小屋の存在を知らない訪問者が、不意に犬に吠えられるようなこともある。このため、家庭用電源の照明装置を小屋に設置することは、電気コストや設置コストが高く付き、犬により照明装置が損傷される心配もあり、安全性にも問題がある。
【０００３】
ところで、愛玩動物用小屋に照明装置を設置したものは従来からいくつか提案されている。例えば下記特許文献１には、家畜舎の内部に照明、換気扇、空調機など電気器具を設けると共に、これら電気器具の燃料電池の補助装置として太陽光発電装置を家畜舎の外部に設けるようにした畜舎用電源システムが提案されている。また、下記特許文献２には愛玩動物用の小屋本体の屋根に太陽電池を設け、小屋本体に換気ファンを設けてこれらを電気的に接続し、小屋内部の換気を行うようにした愛玩動物用小屋が提案されている。
【０００４】
【特許文献１】特開２００１-２７５２７９号公報
【０００５】
【特許文献２】実開平２-１２７１２９号公報
【発明の開示】
【発明が解決しようとする課題】
【０００６】
しかしながら、特許文献１の畜舎用電源システムで使用される照明は、畜舎内部を常時照らすことにより、畜舎内作業の安全性や、牛、豚、養鶏等の家畜の発育促進を図るためのものであり、照明や太陽光発電装置も大規模な設備となる。したがって設置コストや維持コストが高額であり、犬等の愛玩動物用小屋の電源システムには適しない。特に愛玩動物の場合、小屋内部を長時間照らしておくことは、愛玩動物に緊張感を与え、安眠を妨げになるばかりか、照明器具の破損や、夏場などに小屋内部の温度が上昇するなど安全性の点でも問題がある。また、特許文献２の愛玩動物小屋は、換気ファンにより、小屋内部の換気を行うだけであり、日没後の小屋の照明については何ら配慮がされておらず、しかも太陽電池を屋根全面に取り付けているため、設置コストが高く付き、愛玩動物による太陽電池の損傷の心配もある。
【０００７】
本発明はこのような現状に鑑みて提案されたものである。即ち本発明は、太陽光を有効に利用し、低コストで設置、維持できる照明装置により、日没後に小屋の外側を自動的に照らすようにした愛玩動物小屋を提供することである。これにより小屋内部又は小屋周辺における愛玩動物の動態を確認できるようにし、また愛玩動物の存在を訪問者等に認知させ、周辺を明るくすることで防犯効果を得られるようにしたものである。
【０００８】
また本発明は、太陽光を利用した照明装置を、小屋本体の最も適した場所に簡易に取り付けることができ、しかも照明装置が愛玩動物により損傷されないようにした愛玩動物用小屋を提供することである。
【課題を解決するための手段】
【０００９】
上記課題を解決するため、本発明の愛玩動物用小屋は、愛玩動物用の小屋本体の外側に、ソーラーパネルと、該ソーラーパネルからの給電により発光する発光ランプを設けたことを特徴とする。ここでの愛玩動物用小屋は、主として屋外犬などを飼う屋外用の小屋であるが、日当たりの良い屋内に設置すれば、猫等の屋内動物の小屋としても利用できる。また前記ソーラーパネルとは、太陽光を受けることによって光を電気に変換し、蓄電する機能を備えた発電装置であり、ここでは周囲の明るさを感知して、所定の暗さになったとき自動的に発光ランプに給電するセンサーユニットを備えている。
【００１０】
本発明では、前記ソーラーパネルを小屋本体の屋根に設け、前記発光ランプを小屋本体における愛玩動物出入口の上部に設けることが好ましい。さらに具体的には、前記小屋本体の屋根にソーラーパネル支持体を立設し、該ソーラーパネル支持体の上面部に前記ソーラーパネルを水平状態に装着することが好ましい。このようにすると、ソーラーパネルが太陽光を効率よく受光することができる。また、発光ランプで愛玩動物出入口の周辺を照らすことにより、小屋内の愛玩動物の動態を確認し、愛玩動物の存在を訪問者に明確に認知させることができる。
【００１１】
前記ソーラーパネル支持体の形状は特に限定されるものではないが、煙突形状の中空体にすると、外見的に小屋本体とのバランスが良く、またソーラーパネルの受光面以外の部分を隠すことができるため、愛玩動物によるソーラーパネルの損傷を防止することができ、外観上の体裁も良くなる。さらに、ソーラーパネル支持体の内部に中板を固定し、該中板に前記ソーラーパネルを固定することにより、簡単な構成で容易にソーラーパネルを装着することができる。
【００１２】
前記ソーラーパネル支持体は、前記小屋本体の屋根の棟部近くに取付板を固定し、該取付板に前記ソーラーパネル支持体の底部を装着することが好ましい。前記取付板は、ソーラーパネル支持体の底板部とすることができる。これにより、屋根に特殊な加工を施すことなく、ソーラーパネル支持体を簡単に取り付けることができ、屋根の防水性も確保される。また、ソーラーパネル支持体を屋根の棟部近くに固定することにより、ソーラーパネルによる太陽光の受光性も良くなる。さらに前記発光ランプとの連結コードを、屋根の外表面にほとんど露出させないで棟部内側に導入することができるため、愛玩動物による損傷を防止することができる。
【００１３】
前記ソーラーパネルと前記発光ランプの連結コードは、前記小屋本体の棟部内側に形成される空隙部に、連結コード保持部材を介して収納するのが好ましい。連結コード保持部材は、前記空隙部において連結コードがバラケないように保持できるものであればよく、例えば半筒形状、フック形状、クリップ形状等の部材を使用することができる。このようにすると連結コードを小屋本体の外表面に露出させることなく配線することができるため、愛玩動物による破損等を防止できる。
【００１４】
前記発光ランプは、ソーラーパネルからの給電により所定照度の光を発するランプであり、防虫効果があり、消費電力も少ない黄色系の発光ダイオードが好ましい。この発光ランプは、投光方向を変えられるように回転可能に設けることにより、小屋本体の設置位置や目的に応じて任意の方向を照射することができる。
【００１５】
また、前記発光ランプの下方に、通光性の破損防止部材を設けることにより、愛玩動物等による発光ランプの破損を防ぐことができる。破損防止部材は、例えば格子状（網状）パネルや透明又は半透明パネルなどである。なお、本発明では遮光性の破損防止部材を使用して、例えば愛玩動物出入口の周辺を暗くして小屋本体内部の愛玩動物の睡眠の妨げにならないようにすることもできる。
【００１６】
一方、前記小屋本体には、発光ランプの下方と、対応する小屋本体の背面側に、該小屋本体を持ち上げるための把手部を設けることにより、小屋本体の持ち運びが便利となる。また、把手部が障壁となって、愛玩動物による発光ランプのいたずらや破損を防ぐことができる。この把手部の形状は限定されないが、前記小屋本体屋根の前後両端部に設けられるヒサシ枠の補強用連結アームと兼用することで、小屋本体の構成部材が簡略化され、体裁も良くなる。
【発明の効果】
【００１７】
上述した本発明によれば、太陽光を有効に利用し、低コストで設置、維持できる照明装置により、日没後に愛玩動物用小屋の外側を自動的に照らすことができる。これにより小屋内部又は小屋周辺における愛玩動物の動態を確認でき、また愛玩動物の存在を訪問者等に認知させ、周辺を明るくすることで防犯効果を得ることができる。また本発明によれば、太陽光を利用した照明装置を、小屋本体の最も適した場所に簡易に取り付けることができ、しかも照明装置が愛玩動物により破損されないため安全である、等の効果を有する。
【発明を実施するための最良の形態】
【００１８】
以下本発明の実施形態を添付図面に従って説明する。図１は本発明の愛玩動物用小屋の正面図、図２は右側面図、図３は平面図、図４は図３におけるＡ−Ａ線に沿った断面図、図５は図１におけるＢ−Ｂ線に沿った断面図である。図中で示す小屋本体１は、正面板２と左右の側面板３，３ａと背面板４により四方が囲われており、上部には左右の傾斜板７，７ａ（図４参照）で構成された屋根６が設けられている。また小屋本体１の底部には底面板８（図４参照）が設けられている。
【００１９】
前記正面板２と背面板４の左右両側部には脚部材９，９ａ及び１０，１０ａが固定されており、これら脚部材によって小屋本体１の全体が設置面に支持される。また、正面板２には図1に示すような愛玩動物の出入口１１が開口されている。
【００２０】
前記屋根６を構成する左右傾斜板７，７ａは、図４に示すように、その頂端部７ｘ，７ｙが所定の間隔が開くように、前記正面板２、左右側面板３，３ａ及び背面板４の上端部に載置固定されており、その頂端部７ｘ，７ｙの間隔を覆うように棟部材１３が装着されている。これにより棟部材１３の内側に空隙部１２が形成されることになる。なお、前記棟部材１３は、断面山形状で左右側面板の頂端部７ｘ，７ｙと同じ長さを有する部材であり、長さ方向の途中に補強材１６，１６ａ（図５参照）が設けられている。
【００２１】
前記屋根６の左右傾斜板７，７ａの前後方向両端部（正面側と背面側の端部）には、概略三角形状のヒサシ枠部材１４、１４ａ（図１、図２参照）が装着されている。このヒサシ枠部材１４，１４ａには、連結アーム１５，１５ａ（図１、図５参照）が一体構成されており、ヒサシ枠部材１４，１４ａの補強と把手部材を兼ねている。
【００２２】
一方、前記屋根６の片側の傾斜板７には、前記棟部材１３に近接してソーラーパネル支持体２０が立設され、その上面部にソーラーパネル２１が装着されている。前記ソーラーパネル支持体２０は、ここでは煙突形状をした中空体であり、図４に示すように、下端部は傾斜板７に対応して傾斜状に形成されている。このソーラーパネル支持体２０の内部には、図４に示すように中板２２が設けられている。
【００２３】
前記ソーラーパネル２１は、上面部が透明のケーシング２３に収納されており、そのケーシング２３の底部がネジ止め等により前記中板２２に固定されている。前記ソーラーパネル２１は、小屋本体１の設置面に対して水平状態となるように装着され、これにより、全方向から太陽光を受光することができ、起電・蓄電効率が良くなる。なお、ソーラーパネル２１は、日没後、発光ランプが数時間発光できる起電力と蓄電容量があればよい。
【００２４】
前記ソーラーパネル支持体２０は、図４に示すように、取付板２４を介して傾斜板７に取り付けられている。前記取付板２４はソーラーパネル支持体２０の底板部となるものであり、屋根傾斜板７にネジ止め等により固定される。そして、この取付板２４にソーラーパネル支持体２０の底部を挿嵌し、ネジ止め等によりソーラーパネル支持体２０の下端部と固定される。なお、取付板２４には、図示しないがソーラーパネルケーシング２３から延びる連結コードを係入し、ソーラーパネル支持体２０の外側に導くための溝部が形成されている。
【００２５】
他方、前記正面板２における愛玩動物入口１１の上部には、図１および図５に示すように、黄色系の発光ダイオードである発光ランプ２５が装着されている。黄色系発光ダイオードは、蚊や蛾などの虫が嫌う波長を発するとされており、愛玩動物に対する防虫効果がある。この発光ランプ２５は、基部２５ａが正面板２にネジ止め等により固定されている。また、発光ランプ２５は、基部２５ａに対して回転可能に連結されており、発光ランプ２５の投光方向を上下左右方向に自在に変えることができる。
【００２６】
前記発光ランプ２５の下部には、図６に示すように破損防止部材２６が設けられており、愛玩動物による発光ランプ２５のいたずらや損傷を防止している。この破損防止部材２６は、ここでは両側端部が湾曲した格子状のパネルであり、前記小屋本体１の正面板２とヒサシ枠部材１４の間に装着される。即ち、破損防止部材２６の前後左右の端部に突き出た差込ピン２６ａ，２６ｂを、前記小屋本体１の正面板２とヒサシ枠部材１４，１４ａに有するピン孔２７，２７（ヒサシ枠部材１４のピン孔は図示せず）に差し込むことにより装着している。
【００２７】
前記ソーラーパネル２１と前記発光ランプ２５を電気的に接続する連結コード３０は、図７に示すように、前記棟部材１３の内側に有する空隙部１２に、連結コード保持部材３１を介して保持される。この連結コード保持部材３１は、ここでは半筒形状となっており、屋根傾斜板７ａの頂端部７ｘ，７ｙにネジ止め等により固定されている。なお、前記ソーラーパネル支持体２０は棟部材１３と近接しているため、ソーラーパネル支持体２０から延びた連結コード３０は、屋根傾斜板７の外表面にほとんど露出することなく棟部材１３の内側空隙部１２に沿って配線され、正面板２に形成された挿通孔３２（図６参照）を通って発光ランプ２５に接続されている。
【００２８】
前記小屋本体１を構成する正面板２、左右側面版３，３ａ、背面板４、屋根傾斜板７，７ａ、脚部材９，９ａ，１０，１０ａ、棟部材１２、ヒサシ枠部材１４，１４ａ、ソーラーパネル支持体２０及び破損防止部材２６等の素材は、ここでは木製であるが、プラスチック製や各種合板製であっても良い。なお、屋根傾斜板７，７ａの表面には防水素材又は防水加工が施されている。
【００２９】
上述した実施形態は本発明の一例を示したものであり、小屋本体１、ソーラーパネル２１、発光ランプ２５等の構成等は図示したものに限定されるものではなく、愛玩動物の種類、発光ランプの照射時間等の条件により任意に変更できる。また、小屋本体１を構成する各部材はネジ止め等によりユーザが組み立てることができ、例えばソーラーパネル支持体２０は、小屋本体１の設置場所に応じて太陽光が長時間受光できる部分に取り付けることができる。その他、本発明の細部の構成は、必要に応じて変更することができる。
【図面の簡単な説明】
【００３０】
【図１】本発明の愛玩動物用小屋の正面図である。
【図２】本発明の愛玩動物用小屋の右側面図である。
【図３】本発明の愛玩動物用小屋の平面図である。
【図４】図３のＡ−Ａ線に沿った断面図である。
【図５】図１のＢ−Ｂ線に沿った断面図である。
【図６】本発明における破損防止部材の取り付け状態を示す斜視図である。
【図７】本発明における連結コード保持部材の取り付け状態を示す斜視図である。
【符号の説明】
【００３１】
１は小屋本体
２は小屋本体の正面板
３，３ａは小屋本体の左右側面板
４は小屋本体の背面板
６は小屋本体の屋根
７，７ａは屋根傾斜板
７ｘ，７ｙは屋根傾斜板の頂端部
８は小屋本体の底面板
９，９ａ，１０，１０ａは脚部材
１１は愛玩動物出入口
１２は空隙部
１３は棟部材
１４，１４ａはヒサシ枠部材
１５，１５ａは連結アーム
１６，１６ａは補強材
２０はソーラーパネル支持体
２１はソーラーパネル
２２は中板
２３はソーラーパネルケーシング
２４は取付板
２５は発光ランプ
２５ａは発光部材の基部
２６は破損防止部材
２６ａ，２６ｂは差し込みピン
２７はピン孔
３０は連結コード
３１は連結コード保持部材
３２は連結コード挿通孔
【図１】
2005198566.tif 000003
【図２】
2005198566.tif 000004
【図３】
2005198566.tif 000005
【図４】
2005198566.tif 000006
【図５】
2005198566.tif 000007
【図６】
2005198566.tif 000008
【図７】
2005198566.tif 000009